(57)【要約】【課題】ボトル本体の成形方法に変更を加えずに、また蓋の構造を大きく変更することを必要とせず、供給圧力が高くても水素ガス漏洩の恐れのない、水素水濃度が高く、利用され易くかつ安価なポータブル水素水ボトルを提供する。【解決手段】ボトル本体が、内部に、ボトル本体内を加圧する、水素ガスが収納可能とされる加圧水素ガス空間部を備え、蓋が、外面に貼着されるラベル及びラベルに面してボトル本体の内部と外部とを連通させる孔部を備え、ゴム状の弾性体からなる封止体が、蓋のボトル本体への螺合時にボトル本体からの圧力によってボトル本体と蓋の間で押圧され、ボトル本体の内部と外部とを連通を遮断し、封止体に形成された水素ガス注入器の通過路が加圧水素ガス空間部に加圧された圧力によって押圧されて塞がれるようにし、蓋がボトル本体に装着可能とされかつ孔部がラベルによって塞がれ、もって水素ガス注入器の通過路が二重に塞がれる構成とする。【選択図】図１
2018058613.tif 000002
【特許請求の範囲】
【請求項１】
ボトル本体及び該ボトル本体に螺合装着される蓋を備え、
水素ガスが、外部から導入された加圧された水素ガスであり、水素水が、水素水収納部に収納された水に、外部から導入された水素ガスの溶解によって生成された水素水であって、前記ボトル本体が、内部に、水素ガス供給前の当初から水を収納した水素水収納部及び水素ガスの供給を受け、ボトル本体内を加圧する、水素ガス注入器から注入される水素ガスが収納可能とされる加圧水素ガス空間部を備え、
前記蓋が、外面に貼着されるラベル及び該ラベルに面してボトル本体の内部と外部とを連通させる孔部を備え、ゴム状の弾性体からなる封止体が、蓋のボトル本体への螺合時にボトル本体からの圧力によってボトル本体と蓋の間で押圧されて、ボトル本体の内部と外部とを連通を遮断し、該封止体に形成された水素ガス注入器の通過路が加圧水素ガス空間部に加圧された圧力によって押圧されて塞がれるようにして、蓋がボトル本体に装着可能とされ、かつ孔部がラベルによって塞がれ、もって水素ガス注入器の通過路が二重に塞がれること
を特徴とするポータブル水素水ボトル。
【請求項２】
請求項１に記載されたポータブル水素水ボトルにおいて、独立体として形成されたゴム状の弾性体からなる封止体がボトル本体と蓋との間に機械的に装着されることを特徴とするポータブル水素水ボトル。
【請求項３】
請求項１に記載されたポータブル水素水ボトルにおいて、前記加圧水素ガス空間部が、封止体に接し、外部から水素ガス注入器の先端部の挿入が可能であることを特徴とするポータブル水素水ボトル。
【請求項４】
請求項１に記載されたポータブル水素水ボトルにおいて、水素水収納部に収納された水量、外部から供給される水素ガスを収納する加圧水素ガス空間部の容量、及び外部からの供給量が予め定められた水素ガス量から設定された加圧水素ガス空間部における加圧圧力が保持されることを特徴とするポータブル水素水ボトル。
【請求項５】
請求項１〜４のいずれかに記載されたポータブル水素水ボトルにおいて、ボトル本体及び蓋がアルミニユーム製であり、外形が、小袋形態の化粧ポーチに収納可能なサイズに形成されることを特徴とするポータブル水素水ボトル。
【請求項６】
請求項１〜５のいずれかに記載されたポータブル水素水ボトルにおいて、ボトル本体の表面に、加圧水素ガス空間部に収納された水素ガスを水素水収納部の水に、振盪されることでより多くの水素ガス溶解がなされることの説明を記載したラベルが貼着されることを特徴とするポータブル水素水ボトル。
【請求項７】
請求項１〜６のいずれかに記載されたポータブル水素水ボトルにおいて、ボトル本体の外表面に、水素水収納部と加圧水素ガス空間部との境界を示す境界線が設けてあることを特徴とするポータブル水素水ボトル。
【請求項８】
請求項１〜７のいずれかに記載されたポータブル水素水ボトルにおいて、蓋が外されたときに、加圧水素ガス空間部からの水素ガスの排出に伴って、排出音が発せられ、水素ガスの析出による水素水収納部の水が視認される白濁を呈することを特徴とするポータブル水素水ボトル。
【請求項９】
ボトル本体を備え、
水素ガスが、外部から導入された加圧された水素ガスであり、水素水が、水素水収納部に収納された水に、外部から導入された水素ガスの溶解によって生成された水素水であって、前記ボトル本体が、内部に、水素ガス供給前の当初から水を収納した水素水収納部及び水素ガスの供給を受け、ボトル内を加圧する、水素ガス注入器から注入される水素ガスが収納可能とされる加圧水素ガス空間部を備え、
水素水収納部で生成された水素水が加圧圧力で噴出されるポータブル水素水ボトルに装着される蓋において、
外面に貼着されるラベル及び該ラベルに面してボトル本体の内部と外部とを連通させる孔部を備え、またゴム状の弾性体からなる封止体を備え、封止体が、蓋のボトル本体への螺合時にボトル本体からの圧力によってボトル本体と蓋の間で押圧されて、ボトル本体の内部と外部とを連通を遮断し、該封止体に形成された水素ガス注入器の通過路が加圧水素ガス空間部に加圧された圧力によって押圧されて塞がれるようにされて、ボトル本体に装着可能とされ、かつ孔部がラベルによって塞がれ、もって水素ガス注入器の通過路が二重に塞がれること
を特徴とするポータブル水素水ボトルに装着される蓋。
【請求項１０】
市販されたポータブル水素水ボトルから水を任意量減量して、ボトル本体内に、水を収納した水素水収納部及び水素ガスの供給を受け、ボトル本体内を加圧する水素ガスが収納可能とされる加圧水素ガス空間部を形成し、
外面に貼着されるラベル及び該ラベルに面してボトル本体の内部と外部とを連通させる孔部を備え、またゴム状の弾性体からなる封止体を備え、封止体が、蓋のボトル本体への螺合時にボトル本体からの圧力によってボトル本体と蓋の間で押圧されて、ボトル本体の内部と外部とを連通を遮断し、該封止体に形成された水素ガス注入器の通過路が加圧水素ガス空間部に加圧された圧力によって押圧されて塞がれるようにされて、ボトル本体に装着可能とされ、かつ孔部がラベルによって塞がれ、もって水素ガス注入器の通過路が二重に塞がれる蓋を準備し、
ボトル本体の内部と外部とを連通を遮断して蓋をボトル本体に装着し、
水素ガス注入器の先端部を、封止体を貫通させて任意の水素ガスを加圧水素ガス空間部に供給し、
封止体に形成された水素ガス注入器の通過路を加圧された圧力がかかるゴム状の弾性体の弾性によって塞ぎ、ボトル本体の内部と外部とを連通を遮断すること
を特徴とする任意濃度の水素水を生成する方法。
【請求項１１】
請求項１０に記載された任意濃度の水素水を生成する方法において、予め定めた標準的な濃度の水素水の生成に適した境界線を印刷したラベルを、加圧水素ガス空間部の形成の前にボトル本体の外面に貼着して、該境界線を目安にして水素水収納部及び加圧水素ガス空間部を形成し、水素ガスを供給することを特徴とする任意濃度の水素水を生成する方法。
【発明の詳細な説明】
【技術分野】
【０００１】
本発明は、ポータブル水素水ボトル、ポータブル水素水ボトルに装着される蓋及び任意濃度の水素水を生成する方法に関する。
【背景技術】
【０００２】
水素水の効用が認められるに連れ、可搬性あるいは携行性に富み、日常生活の自在なタイミングで水素水の利用を容易にするポータブル水素水ボトルがいろんな形態で提案される。
【０００３】
特許文献１には、水素ガスを透過させるフイルタと水素ガスの供給圧によって開きかつ供給圧が低下した場合に水密状態に閉じる逆止弁とを備えた水素ガス取り入れ口を底部に有する水素水生成・収容容器が記載されている。
【０００４】
特許文献２には、外表面からスリットが内表面まで達しない状態で形成され、スリットの内面間にブロッキング防止剤が挿入され、スリットを密閉する方向に圧力を加える加圧部材が装着された医療用容器本体の開口部に装着されるゴム栓が記載されている。
【０００５】
特許文献３には、ゴム栓で容器口部を嵌合、封止し、さらにキャップでゴム栓を容器口部フランジ下端に係止して固着した医薬品容器アセンブリーが記載されている。
が記載されている。
【先行技術文献】
【特許文献】
【０００６】
【特許文献１】実用新案登録第３２０３５７５号公報
【特許文献２】特開２００４−２９０４７３号公報
【特許文献３】特開平１０−１７９６８８号公報
【発明の概要】
【発明が解決しようとする課題】
【０００７】
ポータブル水素水ボトルは、日常生活の自在なタイミングで水素水の利用されるものであるため、水素水濃度が高く、利用されやすくかつ安価であることが求められる。特に、ボトル本体とこれに装着される蓋とからなるポータブル水素水ボトルにおいて、ボトル本体の成形方法に変更を加えることは、利用しずらくするし、原価を高くする原因であり、また蓋を大きく変更することは、利用しずらくするし、原価を高くする原因となる。水素水濃度を高くするためには、供給する水素ガスの圧力を高める必要がある。このため、水素ガスの漏えいを確実に行う構造とすることが必要とされる。
【０００８】
特許文献１に記載された技術によれば、構造上、高い水素水を生成することに問題があることが推察され、また原価低減の上でも問題がある。
【０００９】
特許文献２に記載された技術は、医療用容器本体の開口部に装着されるゴム栓に課するものであり、水素水濃度を高くする技術を示唆していない。
【００１０】
特許文献３に記載された技術は、医療用容器アセンブリーであり、水素ガスを容器内部に供給するものではない。
【００１１】
本発明は、かかる点の鑑みボトル本体の成形方法に変更を加えることなしに、また蓋の構造を大きく変更することを必要とせず、供給圧力が高くても水素ガス漏洩の恐れのない、水素水濃度が高く、利用されやすくかつ安価なポータブル水素水ボトルを提供することを目的とする。また、本発明は、任意の水素濃度の水素水を簡便に生成できるようにすることを目的とする。
【課題を解決するための手段】
【００１２】
本発明は、ボトル本体及び該ボトル本体に螺合装着される蓋を備え、
水素ガスが、外部から導入された加圧された水素ガスであり、水素水が、水素水収納部に収納された水に、外部から導入された水素ガスの溶解によって生成された水素水であって、前記ボトル本体が、内部に、水素ガス供給前の当初から水を収納した水素水収納部及び水素ガスの供給を受け、ボトル本体内を加圧する、水素ガス注入器から注入される水素ガスが収納可能とされる加圧水素ガス空間部を備え、
前記蓋が、外面に貼着されるラベル及び該ラベルに面してボトル本体の内部と外部とを連通させる孔部を備え、ゴム状の弾性体からなる封止体が、蓋のボトル本体への螺合時にボトル本体からの圧力によってボトル本体と蓋の間で押圧されて、ボトル本体の内部と外部とを連通を遮断し、該封止体に形成された水素ガス注入器の通過路が加圧水素ガス空間部に加圧された圧力によって押圧されて塞がれるようにして、蓋がボトル本体に装着可能とされ、かつ孔部がラベルによって塞がれ、もって水素ガス注入器の通過路が二重に塞がれること
を特徴とするポータブル水素水ボトルを提供する。
【００１３】
本発明は、上述されたポータブル水素水ボトルにおいて、独立体として形成されたゴム状の弾性体からなる封止体がボトル本体と蓋との間に機械的に装着されることを特徴とするポータブル水素水ボトルを提供する。
【００１４】
本発明は、上述されたポータブル水素水ボトルにおいて、前記加圧水素ガス空間部が、封止体に接し、外部から水素ガス注入器の先端部の挿入が可能であることを特徴とするポータブル水素水ボトルを提供する。
【００１５】
本発明は、上述されたポータブル水素水ボトルにおいて、水素水収納部に収納された水量、外部から供給される水素ガスを収納する加圧水素ガス空間部の容量、及び外部からの供給量が予め定められた水素ガス量から設定された加圧水素ガス空間部における加圧圧力が保持されることを特徴とするポータブル水素水ボトルを提供する。
【００１６】
本発明は、上述のいずれかに記載されたポータブル水素水ボトルにおいて、ボトル本体及び蓋がアルミニユーム製であり、外形が、小袋形態の化粧ポーチに収納可能なサイズに形成されることを特徴とするポータブル水素水ボトルを提供する。
【００１７】
本発明は、上述のいずれかに記載されたポータブル水素水ボトルにおいて、ボトル本体の表面に、加圧水素ガス空間部に収納された水素ガスを水素水収納部の水に、振盪されることでより多くの水素ガス溶解がなされることの説明を記載したラベルが貼着されることを特徴とするポータブル水素水ボトルを提供する。
【００１８】
本発明は、上述のいずれかに記載されたポータブル水素水ボトルにおいて、ボトル本体の外表面に、水素水収納部と加圧水素ガス空間部との境界を示す境界線が設けてあることを特徴とするポータブル水素水ボトルを提供する。
【００１９】
本発明は、上述のいずれかに記載されたポータブル水素水ボトルにおいて、蓋が外されたときに、加圧水素ガス空間部からの水素ガスの排出に伴って、排出音が発せられ、水素ガスの析出による水素水収納部の水が視認される白濁を呈することを特徴とするポータブル水素水ボトルを提供する。
【００２０】
本発明は、ボトル本体を備え、
水素ガスが、外部から導入された加圧された水素ガスであり、水素水が、水素水収納部に収納された水に、外部から導入された水素ガスの溶解によって生成された水素水であって、前記ボトル本体が、内部に、水素ガス供給前の当初から水を収納した水素水収納部及び水素ガスの供給を受け、ボトル本体内を加圧する、水素ガス注入器から注入される水素ガスが収納可能とされる加圧水素ガス空間部を備え、
水素水収納部で生成された水素水が加圧圧力で噴出されるポータブル水素水ボトルに装着される蓋において、
外面に貼着されるラベル及び該ラベルに面してボトル本体の内部と外部とを連通させる孔部を備え、またゴム状の弾性体からなる封止体を備え、封止体が、蓋のボトル本体への螺合時にボトル本体からの圧力によってボトル本体と蓋の間で押圧されて、ボトル本体の内部と外部とを連通を遮断し、該封止体に形成された水素ガス注入器の通過路が加圧水素ガス空間部に加圧された圧力によって押圧されて塞がれるようにされて、ボトル本体に装着可能とされ、かつ孔部がラベルによって塞がれ、もって水素ガス注入器の通過路が二重に塞がれること
を特徴とするポータブル水素水ボトルに装着される蓋を提供する。
【００２１】
本発明は、市販されたポータブル水素水ボトルから水を任意量減量して、ボトル本体内に、水を収納した水素水収納部及び水素ガスの供給を受け、ボトル内を加圧する水素ガスが収納可能とされる加圧水素ガス空間部を形成し、
外面に貼着されるラベル及び該ラベルに面してボトル本体の内部と外部とを連通させる孔部を備え、またゴム状の弾性体からなる封止体を備え、封止体が、蓋のボトル本体への螺合時にボトル本体からの圧力によってボトル本体と蓋の間で押圧されて、ボトル本体の内部と外部とを連通を遮断し、該封止体に形成された水素ガス注入器の通過路が加圧水素ガス空間部に加圧された圧力によって押圧されて塞がれるようにされて、ボトル本体に装着可能とされ、かつ孔部がラベルによって塞がれ、もって水素ガス注入器の通過路が二重に塞がれる蓋を準備し、
ボトル本体の内部と外部とを連通を遮断して蓋をボトル本体に装着し、
水素ガス注入器の先端部を、封止体を貫通させて任意の水素ガスを加圧水素ガス空間部に供給し、
封止体に形成された水素ガス注入器の通過路を加圧された圧力がかかるゴム状の弾性体の弾性によって塞ぎ、ボトル本体の内部と外部とを連通を遮断すること
を特徴とする任意濃度の水素水を生成する方法を提供する。
【００２２】
本発明は、上述された任意濃度の水素水を生成する方法において、予め定めた標準的な濃度の水素水の生成に適した境界線を印刷したラベルを、加圧水素ガス空間部の形成の前にボトル本体の外面に貼着して、該境界線を目安にして水素水収納部及び加圧水素ガス空間部を形成し、水素ガスを供給することを特徴とする任意濃度の水素水を生成する方法を提供する。
【発明の効果】
【００２３】
本発明によれば、上述したようにゴム状の弾性体からなる封止体が、蓋のボトル本体への螺合時にボトル本体からの圧力によってボトル本体と蓋の間で押圧されて、ボトル本体の内部と外部とを連通を遮断し、水素ガス注入器の通過路が二重に塞がれるポータブル水素水ボトルが提供され、ボトル本体の成形方法に変更を加えることなしに、また蓋の構造を大きく変更することを必要とせず、供給圧力が高くても水素ガス漏洩の恐れのない、水素水濃度が高く、利用されやすくかつ安価なポータブル水素水ボトルが提供される。
本発明によれば、任意の水素濃度の水素水を簡便に生成できる。
【図面の簡単な説明】
【００２４】
【図１】本発明に実施例であるポータブル水素水ボトルの構造を示す図。
【図２】図１の一部である封止部の詳細を示す図。
【図３】蓋に設けた封止体による封止状態を形成するステップを示す図。
【図４】他の封止体による封止状態を示す図。
【図５】蓋を取り外して、本実施例になる蓋を取り付けて水素水を生成する形態を説明する図。
【発明を実施するための形態】
【００２５】
以下、本発明の実施例を図面に基づいて説明する。
【００２６】
図１は、本発明に実施例であるポータブル水素水ボトルの構造を示し、ポータブル水素水ボトルの構造を外観で示す図である。図２は、図１の一部である封止部の詳細を示す図である。
【００２７】
図１、図２において、ポータブル水素水ボトル１は、ボトル本体２及び蓋４がアルミニユーム製であり、外形が、小袋形態の化粧ポーチに収納可能なサイズに形成される。ボトル本体２及び蓋４がアルミニユーム製であることで、ポータブル水素水ボトル１内の水素ガスの漏洩を防止することが出来る。ボトル本体１は、圧力に耐える容器とされる。ボトル本体１の肩部は、水平状形状に代えて、斜傾した形状にすることができる。ボトル本体１は、市販されるボトルとすることが推奨される。
【００２８】
このように、ポータブル水素水ボトル１は、外観上、通常販売されるポータブル水素水ボトルと同様の外観をなす。
【００２９】
ポータブル水素水ボトル１は、一体成形されるボトル本体２と、ボトル本体に一体で上方に起立する部分３に装着される蓋４からなる。起立部３の外面にオス型のねじが形成され、蓋４の内面にメス型のねじが形成され、蓋４は、起立部３に形成されたねじに螺合される。
【００３０】
起立部３と蓋４との間に、蓋４を利用して形成された封止部５が形成される。ボトル本体に、機械的な封止部５を介在させて蓋４が装着されることで、水を安全に保持可能な密封容器本体が形成される。
【００３１】
水素ガスが、外部から導入された加圧された水素ガスであり、水素水が、水素水収納部に収納された水に、外部から導入された水素ガスの溶解によって生成された水素水である。水素ガスが溶解される前の状態をここでは水と呼ぶ。水には、水道水、ポットに入れられた水ばかりでなく、水を主成分としたコーヒー、紅茶、飲み物、その他の用途の水が含まれる。
【００３２】
ボトル本体２は、内部に、水素ガス供給前の当初から水を収納した水素水収納部６及び水素ガスの供給を受け、ボトル本体内を加圧する、水素ガス注入器から注入される水素ガスが収納可能とされる加圧水素ガス空間部７が設定され、備えられる。
【００３３】
ボトル本体の表面に、水素水収納部６と加圧水素ガス空間部７との境界を示す水平線８が引かれ、ラベル９が貼着される。このラベル９は、加圧水素ガス空間部７に収納された水素ガスを水素水収納部６の水に、振盪されることでより多くの水素ガス溶解がなされることの説明を記載する。
【００３４】
図２において、蓋４には、ゴム状の弾性体からなる封止体１０が装着される。本例の場合、封止体１０は、山形状部１１と山形状部１１から水平方向に円盤状に突起する突起部１２とからなる。山形状部１１は、山形状に代えて平面上であってもよいが、山形状に形成することが勧められる。突起部１２は、漏洩防止材のパッキングとして機能する。封止体１０を形成するゴムとしては、シリコンゴムあるいは生ゴムが使用される。さらに、ゴムとしては、イソプレン−イソブチレン共重合ゴム又はそのハロゲン化物、イソプレン−イソブチレン共重合ゴムと第三成分との共重合体、イソプレンゴム、ブタジエンゴム、エチレン−プロピレン共重合ゴム又はエチレン−プロピレンと第三成分を共重合したゴム、熱可塑性エラストマー、スチレン−イソプレンゴム、溶液重合したニトリルゴムを主成分とするゴム組成物が用いられ得る。
【００３５】
蓋４の中央部に、ボトル本体の内部、すなわち加圧水素ガス空間部７と外部とを連通させる孔部１３、すなわち小孔が設けられる。孔部１３にも封止部の一部が封入されるようにしてもよい。
【００３６】
封止体１０の山形部１１は、平面状の底面１４を有して、この底面１４は、蓋４の内部の底部面１５に接触配置される。
【００３７】
封止体１０の中央には、すなわち山形部１１の中央には、水素ガス注入器の通過路１６が予め形成される。予め形成することをしないで、水素ガス供給時の水素ガス注入器の通過によって形成されるものであってもよい。
【００３８】
蓋４の上面には、ラベル１７が孔部１３を塞ぐように貼着可能に準備される。
【００３９】
起立部３の上端に、封止体１０が起立部３内の空間に挿入する形で載置される。蓋４をボトル本体２に螺合で装着すると、このときに、突起部１２は、起立部３の上端と蓋４の内面には挟まれる。螺合を強くすると、ボトル本体からの圧力によって突起部４は、蓋４の内面とボトル本体２の上端の間で押圧されて、封止体１０は、ボトル本体の内部と外部とを連通を遮断する。すなわち蓋のボトル本体への螺合時にボトル本体からの圧力によってボトル本体と蓋の間で押圧されて、ボトル本体の内部と外部とを連通を遮断する。
【００４０】
ボトル本体の内部と外部とを連通を遮断が形成されると、準備された水素ガス注入器が用いられ、水素ガス注入器の注入先端部が封止体１０に差し込まれ、先端が加圧水素ガス空間部７内に開口する。この状態で、水素ガス注入器から水素ガスが加圧水素ガス空間部７に供給される。
【００４１】
水素ガスが加圧水素ガス空間部７に供給されると、加圧水素ガス空間部７の内部が加圧され、加圧圧力が生成される。加圧圧力は、図において、矢印で示すように山形部１１を押圧する。
【００４２】
この押圧力によって、底面１４は、蓋４の内部の底部面１５に密着する。
【００４３】
山形部１１が加圧水素ガス空間部７に加圧圧力によって押圧されると、通過路１６が弾性体の弾性によって塞がれる。
【００４４】
封止体１０に形成された水素ガス注入器の通過路１６が加圧された圧力がかかる封止体１０の弾性によって塞がれ、かつ水素ガス注入器の通過路１６の外端が蓋４に貼着されたラベル１７によって塞がれ、もって水素ガス注入器の通過路１６が二重に塞がれた構造が形成される。
【００４５】
封止体１０に予め通過路１６を形成しておくと、水素ガス注入器の差し込み時、通過路１６をトレースするだけで済み、水素ガス注入器の差し込みを容易に行うことができる。
【００４６】
水素水収納部６に収納された水量、外部から供給される水素ガスを収納する加圧水素ガス空間部７の容量、及び外部からの供給量が予め定められた水素ガス量から設定された加圧水素ガス空間部７における加圧圧力が保持される。
【００４７】
ポータブル水素水ボトル１は、加圧水素ガス空間部７に、所定の水素ガスが溜められた状態で製造され、この状態で販売がなされる。購入者である顧客は、ボトル本体外面に貼着されたラベルに記載に従ってポータブル水素水ボトル１を振動させ、水素ガスを内部の水に振盪させ、水素水を生成する。
【００４８】
生成された水素水が加圧圧力で噴出される状態が形成される。
【００４９】
蓋４を開放方向に回転させると、螺合部が緩み、螺合部から一部の水素ガスが逃げ、加圧圧力が低下する。この状態で、蓋４が完全に開けられ、水素水が飲用、その他の目的に供される。ラベル９には、振動振盪方法、蓋４の開放方法が十分に記載される。
【００５０】
図３は、水素ガスを注入供給して加圧圧力を形成し、水素ガス注入器の通過路１６が二重に塞がれた構造を形成する方法を説明する。
【００５１】
図３（a）において、封止体１０の中央には、すなわち山形部１１の中央には、水素ガス注入器の通過路１６が予め形成される。そして、蓋４の上面には、ラベル１７が孔部１３を塞ぐように貼着可能に準備される。水素ガス注入器２１が準備される。また水素ガスボンベ２４が準備される。
【００５２】
図では、孔部１３は、ストレートな直方体形状とされているが、水素ガス注入器の先端部が差し込まれ得る形状であればよい。
【００５３】
図３（ｂ）において、水素ガス注入器２１の先端部２２が封止体１０に差し込まれ、先端２３が加圧水素ガス空間部７に内部に開口する。水素ガス注入器２１は、水素ガスボンベ２４に接続される。水素ガス注入器２１には、レギュレータ付の弁２５が設けられており、予め定められた量の水素ガスが水素ガス注入器２１から加圧水素ガス空間部７に供給される。
【００５４】
上述したように、水素水収納部６に収納された水量、外部から供給される水素ガスを収納する加圧水素ガス空間部７の容量、及び外部からの供給量が予め定められた水素ガス量から設定された加圧水素ガス空間部７における加圧圧力が保持され、生成された水素水が加圧圧力で噴出されるようにされる形態が形成される。
【００５５】
図３（ｃ）において、この状態が形成されると、水素ガス注入器２１は、差し抜かれる。水素ガス注入器２１が差し抜かれた後に、水素ガス注入器の通過路１６が残る。加圧水素ガス空間部７における加圧圧力によって通過路１６は塞がれる。また、底面１４の内面底面１５に対する密着性が向上して密着が確実のものとされる。
【００５６】
図３（ｄ）において、蓋４の上面に、準備されたアルミニューム製のラベル１７が貼着され、孔部１３を塞ぐ。  封止体１０に形成された水素ガス注入器の通過路１６が加圧された圧力がかかる封止体１０の弾性によって塞がれ、かつ孔部１３が、蓋４貼着されたラベル１７によって塞がれる。もって水素ガス注入器の通過路１６が二重に塞がれる構造が形成される。外観からすると、通常のポータブル水素水ボトルとは、蓋４の上面にラベルが貼着されていることだけが異なるものとすることができる。
【００５７】
水素水収容部６に形成された水素水は、蓋４及び封止体１０が順次取り外されることで、飲用その他の目的に使用される。
【００５８】
図４は、他の封止体１０による封止状態を示す。この例によれば、蓋４及び封止体１０が一体で取り外される。
【００５９】
図４において、封止体１０の構造は、基本的に図２に記載された構造と同様である。
【００６０】
図３において、蓋４の底部内面には、円周に沿っていくつかの凹み３１が形成される。凹み３１は、解放時、蓋４の開放方向の逆方向に内部に向けて斜めに形成された窪みとされる。
【００６１】
封止体１の上面には、凹み３１の数に対応した数の凸部２２が形成される。凸部３２は、解放時、蓋４の開放方向の逆方向に内部に向けて斜めに形成された突起とされる。封止体１０を起立部３に載置した時に、凸部３２が凹み３１に嵌合される。
【００６２】
この凹み３１と凸部３２との係合によって、蓋４を取り外す時に、嵌合係合によって封止体１０は、蓋４から脱落せずに回転に伴って封止体１０が一体で取り外される。
【００６３】
図２あるいは図４に示される、形成された封止部５は、封止体１０と蓋４の内面には、機械的な係合密封機構が採用され、接着剤の使用を必要としないので、水素水の生成が安全になされる。
【００６４】
また、図２あるいは図４において、３MPa程度に加圧圧力を形成することで、ポータブル水素水ボトルにおいて、蓋が外されたときに、加圧水素ガス空間部からの水素ガスの排出に伴って、排出音が発せられ、水素ガスの析出による水素水収納部の水が視認される白濁を呈するようにすることが出来る。
【００６５】
図５は、通常の固定された蓋を取り外して、本実施例になる蓋４を取り付けて水素水を生成する形態を説明する図である。
【００６６】
通常、当初から本実施例になる蓋４を取り付けて生成された水素水を保持する水素水ボトル１を購入することができる。
【００６７】
顧客は、図５に示すように通常の螺合固定された蓋を取り外して、本実施例になる蓋４を取り付けて水素水を生成し、任意の水素濃度にした水素水を楽しむようにすることができる。この方法による水素水の生成は、水素を扱うことのできる業者によってなされる。また顧客は、任意の水素濃度の水素水を、インターネットを介して注文するような場合、供給する水素ガス量を指定することで、指定された水素ガスが入れられたホータブル水素水ボトルを受け取り、任意の水素濃度にした水素水を生成して楽しむことができる。
【００６８】
例えば、図５（a）において、顧客によってボトル本体２に蓋４が装着された通常のアルミ製の水素水ボトルが購入される。顧客は、業者、例えばコンビニストアの水素取扱い資格を有する従業員に水素水の生成を依頼する。
【００６９】
図５（ｂ）において、業者は、標準的な境界線８のついたラベル９を水素水ボトルのボトル本体２上に貼着する。境界線は、複数引かれてもよい。境界線の位置で水素ガス供給量が定められる。その上で、顧客に、希望の水素濃度を問い合わせる。  境界線を中心とした水素水ボトル内の水を減量することを依頼する。顧客は、蓋４を取り外して、減量する。これによって、水素水収容部６及び加圧水素ガス空間部７が形成される。
【００７０】
図５（ｃ）において、業者は、本実施例の蓋４を装着する。蓋とボトル本体との間の螺合状態が同一であり、螺合状態が同一の蓋が選択される。上述したようにして水素ボンベ２４から水素ガスを供給し、加圧水素ガス空間部７に加圧された水素ガスが溜められた水素水ボトル１を形成して、顧客に引き渡す。顧客は、ラベル９上に記載された説明に沿って水素水ボトル１を振動させ、水素ガスを振盪させて、水素ガスを溶解させ、自由に任意の時間に水素水を飲用することができる。
【００７１】
任意濃度の水素水を生成する方法は、次のステップから構成される。
【００７２】
市販されたポータブル水素水ボトルから水を任意量減量して、ボトル本体内に、水素水を収納した水素水収納部及び水素ガスの供給を受け、ボトル内を加圧する水素ガスが収納可能とされる加圧水素ガス空間部を形成する。
【００７３】
ボトルの内部と外部とを連通させる孔部及びゴム状の弾性体からなる封止体を備え、加圧水素ガス空間部の加圧された圧力によって封止体がボトル本体の内面に押圧されて、ボトル本体の内部と外部とを連通を遮断するようにした蓋をボトル本体に装着する。
【００７４】
水素ガス注入器の先端部を、封止体を貫通させて任意の水素ガスを加圧水素ガス空間部に供給する。
【００７５】
封止体に形成された水素ガス注入器の通過路を加圧された圧力がかかるゴム状の弾性体の弾性によって塞ぎ、ボトル本体の内部と外部とを連通を遮断する。
【００７６】
任意濃度の水素水を生成する方法において、予め定めた標準的な濃度の水素水の生成に適した境界線を印刷したラベル、水素ガスを振盪させて、水素ガスを溶解させる方法を説明するラベルを提供する。これらのラベルは、加圧水素ガス空間部の形成の前にボトル本体の外面に貼着可能して、該境界線を目安にして水素水収納部及び加圧水素ガス空間部を形成し、任意量の水素ガスを加圧水素ガス空間部に供給する。
【００７７】
本実施例によれば、ボトル本体の成形方法に変更を加えることなしに、また蓋の構造を大きく変更することを必要とせず、供給圧力が高くても水素ガス漏洩の恐れのない、水素水濃度が高く、利用されやすくかつ安価なポータブル水素水ボトルを提供することができる。また、本実施例によれば、任意の水素濃度の水素水を簡便に生成できる。
【図１】
2018058613.tif 000003
【図２】
2018058613.tif 000004
【図３】
2018058613.tif 000005
【図４】
2018058613.tif 000006
【図５】
2018058613.tif 000007
【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
ボトル本体及び該ボトル本体に螺合装着される蓋を備え、
水素ガスが、外部から導入された加圧された水素ガスであり、水素水が、水素水収納部に収納された水に、外部から導入された水素ガスの溶解によって生成された水素水であって、前記ボトル本体が、内部に、水素ガス供給前の当初から水を収納した水素水収納部及び水素ガスの供給を受け、ボトル本体内を加圧する、水素ガス注入器から注入される水素ガスが収納可能とされる加圧水素ガス空間部を備え、
前記蓋が、外面に貼着されるラベル及び該ラベルに面してボトル本体の内部と外部とを連通させる孔部を備え、
封止体が、ゴム状の弾性体からなり、ボトル本体と蓋との間に挟み込まれるように円盤状に突起する突起部を備え、蓋がボトル本体に螺合装着されると、該螺合装着が螺合強度に対応して突起部をボトル本体と蓋の間で押圧して、ボトル本体の内部の加圧水素ガス空間部と外部との連通を遮断し、該封止体に形成された水素ガス注入器の通過路が加圧水素ガス空間部に加圧された圧力によって押圧されて塞がれ、かつ孔部がラベルによって塞がれること
を特徴とするポータブル水素水ボトル。
【請求項２】
請求項１に記載されたポータブル水素水ボトルにおいて、独立体として形成されたゴム状の弾性体からなる封止体がボトル本体と蓋との間に機械的に装着されることを特徴とするポータブル水素水ボトル。
【請求項３】
請求項１に記載されたポータブル水素水ボトルにおいて、前記加圧水素ガス空間部が、封止体に接し、外部から水素ガス注入器の先端部の挿入が可能であることを特徴とするポータブル水素水ボトル。
【請求項４】
請求項１に記載されたポータブル水素水ボトルにおいて、水素水収納部に収納された水量、外部から供給される水素ガスを収納する加圧水素ガス空間部の容量、及び外部からの供給量が予め定められた水素ガス量から設定された加圧水素ガス空間部における加圧圧力が保持されることを特徴とするポータブル水素水ボトル。
【請求項５】
請求項１〜４のいずれかに記載されたポータブル水素水ボトルにおいて、ボトル本体及び蓋がアルミニユーム製であり、外形が、小袋形態の化粧ポーチに収納可能なサイズに形成されることを特徴とするポータブル水素水ボトル。
【請求項６】
請求項１〜５のいずれかに記載されたポータブル水素水ボトルにおいて、ボトル本体の表面に、加圧水素ガス空間部に収納された水素ガスを水素水収納部の水に、振盪されることでより多くの水素ガス溶解がなされることの説明を記載したラベルが貼着されることを特徴とするポータブル水素水ボトル。
【請求項７】
請求項１〜６のいずれかに記載されたポータブル水素水ボトルにおいて、ボトル本体の外表面に、水素水収納部と加圧水素ガス空間部との境界を示す境界線が設けてあることを特徴とするポータブル水素水ボトル。
【請求項８】
請求項１〜７のいずれかに記載されたポータブル水素水ボトルにおいて、蓋が外されたときに、加圧水素ガス空間部からの水素ガスの排出に伴って、排出音が発せられ、水素ガスの析出による水素水収納部の水が視認される白濁を呈することを特徴とするポータブル水素水ボトル。
【請求項９】
ボトル本体を備え、
水素ガスが、外部から導入された加圧された水素ガスであり、水素水が、水素水収納部に収納された水に、外部から導入された水素ガスの溶解によって生成された水素水であって、前記ボトル本体が、内部に、水素ガス供給前の当初から水を収納した水素水収納部及び水素ガスの供給を受け、ボトル内を加圧する、水素ガス注入器から注入される水素ガスが収納可能とされる加圧水素ガス空間部を備え、
水素水収納部で生成された水素水が加圧圧力で噴出されるポータブル水素水ボトルに装着される蓋において、
外面に貼着されるラベル及び該ラベルに面してボトル本体の内部と外部とを連通させる孔部を備え、またゴム状の弾性体からなる封止体を備え、該封止体が、ボトル本体と蓋との間に挟み込まれるように円盤状に突起する突起部を備え、蓋がボトル本体に螺合装着されると、該螺合装着が螺合強度に対応して該突起部をボトル本体と蓋の間で押圧し、ボトル本体の内部の加圧水素ガス空間部と外部との連通を遮断し、該封止体に形成された水素ガス注入器の通過路が加圧水素ガス空間部に加圧された圧力によって押圧されて塞がれ、かつ孔部がラベルによって塞がれること
を特徴とするポータブル水素水ボトルに装着される蓋。
【請求項１０】
市販されたポータブル水素水ボトルから装着済みの蓋を取り除き、水を任意量減量して、ボトル本体内に、水を収納した水素水収納部及び水素ガスの供給を受け、ボトル本体内を加圧する水素ガスが収納可能とされる加圧水素ガス空間部を形成し、
ボトル本体に螺合装着される蓋を準備し、
該蓋が、外面に貼着されるラベル及び該ラベルに面してボトル本体の内部と外部とを連通させる孔部を備え、またゴム状の弾性体からなる封止体を備え、該封止体が、ボトル本体と蓋との間に挟み込まれるように円盤状に突起する突起部を備えて、該突起部をボトル本体と蓋との間に挟み込み、蓋をボトル本体に螺合装着し、該螺合装着による螺合強度に対応して突起部をボトル本体と蓋の間で押圧して、ボトル本体の内部の加圧水素ガス空間部と外部との連通を遮断し、該封止体に形成された水素ガス注入器の通過路を加圧水素ガス空間部に加圧された圧力によって押圧して塞ぎ、かつ孔部をラベルによって塞ぎ、
水素ガス注入器の先端部を、封止体を貫通させて任意量の水素ガスを加圧水素ガス空間部に供給すること
を特徴とする任意濃度の水素水を生成する方法。
【請求項１１】
請求項１０に記載された任意濃度の水素水を生成する方法において、予め定めた標準的な濃度の水素水の生成に適した境界線を印刷したラベルを、加圧水素ガス空間部の形成の前にボトル本体の外面に貼着して、該境界線を目安にして水素水収納部及び加圧水素ガス空間部を形成し、水素ガスを供給することを特徴とする任意濃度の水素水を生成する方法。
【手続補正２】
【補正対象書類名】明細書
【補正対象項目名】００１２
【補正方法】変更
【補正の内容】
【００１２】
本発明は、ボトル本体及び該ボトル本体に螺合装着される蓋を備え、
水素ガスが、外部から導入された加圧された水素ガスであり、水素水が、水素水収納部に収納された水に、外部から導入された水素ガスの溶解によって生成された水素水であって、前記ボトル本体が、内部に、水素ガス供給前の当初から水を収納した水素水収納部及び水素ガスの供給を受け、ボトル本体内を加圧する、水素ガス注入器から注入される水素ガスが収納可能とされる加圧水素ガス空間部を備え、
前記蓋が、外面に貼着されるラベル及び該ラベルに面してボトル本体の内部と外部とを連通させる孔部を備え、
封止体が、ゴム状の弾性体からなり、ボトル本体と蓋との間に挟み込まれるように円盤状に突起する突起部を備え、蓋がボトル本体に螺合装着されると、該螺合装着が螺合強度に対応して突起部をボトル本体と蓋の間で押圧して、ボトル本体の内部の加圧水素ガス空間部と外部との連通を遮断し、該封止体に形成された水素ガス注入器の通過路が加圧水素ガス空間部に加圧された圧力によって押圧されて塞がれ、かつ孔部がラベルによって塞がれること
を特徴とするポータブル水素水ボトルを提供する。
【手続補正３】
【補正対象書類名】明細書
【補正対象項目名】００２０
【補正方法】変更
【補正の内容】
【００２０】
本発明は、ボトル本体を備え、
水素ガスが、外部から導入された加圧された水素ガスであり、水素水が、水素水収納部に収納された水に、外部から導入された水素ガスの溶解によって生成された水素水であって、前記ボトル本体が、内部に、水素ガス供給前の当初から水を収納した水素水収納部及び水素ガスの供給を受け、ボトル内を加圧する、水素ガス注入器から注入される水素ガスが収納可能とされる加圧水素ガス空間部を備え、
水素水収納部で生成された水素水が加圧圧力で噴出されるポータブル水素水ボトルに装着される蓋において、
外面に貼着されるラベル及び該ラベルに面してボトル本体の内部と外部とを連通させる孔部を備え、またゴム状の弾性体からなる封止体を備え、該封止体が、ボトル本体と蓋との間に挟み込まれるように円盤状に突起する突起部を備え、蓋がボトル本体に螺合装着されると、該螺合装着が螺合強度に対応して該突起部をボトル本体と蓋の間で押圧し、ボトル本体の内部の加圧水素ガス空間部と外部との連通を遮断し、該封止体に形成された水素ガス注入器の通過路が加圧水素ガス空間部に加圧された圧力によって押圧されて塞がれ、かつ孔部がラベルによって塞がれること
を特徴とするポータブル水素水ボトルに装着される蓋を提供する。
【手続補正４】
【補正対象書類名】明細書
【補正対象項目名】００２１
【補正方法】変更
【補正の内容】
【００２１】
本発明は、市販されたポータブル水素水ボトルから装着済みの蓋を取り除き、水を任意量減量して、ボトル本体内に、水を収納した水素水収納部及び水素ガスの供給を受け、ボトル本体内を加圧する水素ガスが収納可能とされる加圧水素ガス空間部を形成し、
ボトル本体に螺合装着される蓋を準備し、
該蓋が、外面に貼着されるラベル及び該ラベルに面してボトル本体の内部と外部とを連通させる孔部を備え、またゴム状の弾性体からなる封止体を備え、該封止体が、ボトル本体と蓋との間に挟み込まれるように円盤状に突起する突起部を備えて、該突起部をボトル本体と蓋との間に挟み込み、蓋をボトル本体に螺合装着し、該螺合装着による螺合強度に対応して突起部をボトル本体と蓋の間で押圧して、ボトル本体の内部の加圧水素ガス空間部と外部との連通を遮断し、該封止体に形成された水素ガス注入器の通過路を加圧水素ガス空間部に加圧された圧力によって押圧して塞ぎ、かつ孔部をラベルによって塞ぎ、
水素ガス注入器の先端部を、封止体を貫通させて任意量の水素ガスを加圧水素ガス空間部に供給すること
を特徴とする任意濃度の水素水を生成する方法を提供する。
【手続補正５】
【補正対象書類名】明細書
【補正対象項目名】００３９
【補正方法】変更
【補正の内容】
【００３９】
起立部３の上端に、封止体１０が起立部３内の空間に挿入する形で載置される。蓋４をボトル本体２に螺合で装着すると、このときに、突起部１２は、起立部３の上端と蓋４の内面には挟まれる。螺合を強くすると、ボトル本体からの圧力によって突起部４は、蓋４の内面とボトル本体２の上端の間で押圧されて、封止体１０は、ボトル本体の内部と外部とを連通を遮断する。すなわち蓋のボトル本体への螺合時にボトル本体からの圧力によってボトル本体と蓋の間で押圧されて、ボトル本体の内部と外部との連通を遮断する。
【手続補正６】
【補正対象書類名】明細書
【補正対象項目名】００６０
【補正方法】変更
【補正の内容】
【００６０】
図３において、蓋４の底部内面には、円周に沿っていくつかの凹み３１が形成される。凹み３１は、開放時、蓋４の開放方向の逆方向に内部に向けて斜めに形成された窪みとされる。